(57)【要約】【課題】スノーボードにおいて、必要最小限の部品数で安価にかつ容易に製造でき、専用ブーツを外さずワンタッチでビンディングの向きを変更できること。【解決手段】スノーボード１は、滑降を終えた時点では前側ビンディング４は第１の立設部１１ａをロック手段１２とで挟んで固定されているので、右足を後側ビンディング３から外し、ロック手段１２を第１の立設部１１ａから外して前側ビンディング４を左足を固定したまま回動させると第２の立設部１１ｂに当接して止まるので、第２の立設部１１ｂを図示されないもう１つのロック手段１８と前側ビンディング４で挟むことによって前側ビンディング４が前方向を向いて固定され、右足で雪面を蹴ってスノーボード１を滑らせて歩行するのも非常に容易になり、リフトに乗ったときにも左足を真っ直ぐ向ければスノーボード１も真っ直ぐ向くので、トラブルを起こすこともなく、足首を捻挫する心配もない。【選択図】        図１
2004160095.tif 000002
【特許請求の範囲】
【請求項１】
スノーボード本体の前後に前記スノーボード本体の長手方向に対してそれぞれ所定の角度で取付けられた２個のビンディングのうち、１個以上のビンディングがロックを外すことによって前記スノーボード本体に対して略前後方向を向くまで回動可能となり、その向きでロックされることによって回動不能に固定されることを特徴とするスノーボード。
【請求項２】
スノーボード本体と、
前記スノーボード本体の中央から後よりに前記スノーボード本体の長手方向に対して所定の角度で前記スノーボード本体に固定された後側のビンディングと、
前記スノーボード本体の中央から前よりの前側のビンディングの取付け位置に設けられたベース板と、
前記ベース板に回動自在に設けられた前側のビンディングと、
前記ベース板と前記前側のビンディングとの一方に取付けられ、他方に係合可能な前記前側のビンディングの回動を拘束するロック機構と
を具備することを特徴とするスノーボード。
【請求項３】
前記ベース板と前記前側のビンディングとに取付けられ、前記前側のビンディングの回動を拘束するロック機構は、前記前側のビンディングの両側に配設したことを特徴とする請求項２に記載のスノーボード。
【請求項４】
前記２個のビンディングのうち、ロックを外すことができるビンディングを前側のみとしたことを特徴とする特徴とする請求項１に記載のスノーボード。
【請求項５】
前記２個のビンディングのうち、ロックを外すことができるビンディングを後側のみとしたことを特徴とする特徴とする請求項１に記載のスノーボード。
【請求項６】
前記２個のビンディングのうちロックを外すことができるビンディングを前側及び後側の両者としたことを特徴とする特徴とする請求項１に記載のスノーボード。
【発明の詳細な説明】
【０００１】
【発明の属する技術分野】
本発明は、スノーボードに取付けられている２個のビンディングのうち前側のビンディングをスノーボードの前方向を向くまで回動させて固定することができるスノーボードに関するものである。
【０００２】
【従来の技術】
【特許文献１】特開平９−１６８６２６号公報
【特許文献２】特開２０００−３２５５２７号公報
従来、スノーボードに取付けられている２個のビンディングは、両足に履いた専用ブーツをスノーボードに固定するための器具で、スノーボードの長手方向に対して斜めを向くように複数のねじ等で直接スノーボードに取付けられている。そして、滑降を終えて再びリフトに乗ろうとするとき等は、一般には後側ビンディングから専用ブーツを外して後側の足を自由にし、スノーボードを進行方向に向けて後側の足に履いた専用ブーツで雪面を蹴りながら歩行する。しかし、ビンディングの向きが斜めに固定されているので、スノーボードを進行方向に向けるためには前側の足を内股にしなければならず、非常に歩行しづらいものであった。
【０００３】
また、リフトに乗った場合にも前側の足を前方に向けて座るとスノーボードが斜めに向いてしまい、ペアリフトやトリプルリフトのように複数の人が乗る場合にはスノーボードが隣の人のスノーボードやスキー板と接触して、互いに不快感を覚えることが多かった。しかも、片足のみでスノーボードを支えるため足首を捻る力が働き、長い距離リフトに乗ったりその間に風に煽られたりすると、足首を捻挫する危険性が高かった。
【０００４】
そこで、かかる問題を解決するために、上記特許文献１に記載された技術においては、前側ビンディング本体とスノーボードとの間に円板状の調整体を挟み、この調整体上でビンディング本体を摺動回転自在とし、調整体の外周に沿って１ピッチ当り５度で７２個の係合孔を穿設して、ビンディング本体の左右にこれらの係合孔に係合する先端部を有する位置決め部材を備えている。これらの位置決め部材はバネによって先端部が係合孔に係合する方向（下方）に付勢されており、通常の状態では位置決め部材の先端部が係合孔に係合することによって、ビンディング本体は摺動回転不能即ち角度調節不能に固定されている。
【０００５】
しかし、位置決め部材の上端にバネの付勢力に抗して位置決め部材を引き上げる揺動部材が設けられており、この揺動部材を動かすことによって位置決め部材の先端部が係合孔から離れた状態に固定することができる。これによって、ビンディング本体は摺動回転可能となり、使用者に適した角度の微調節を行うことができるとともに、歩行やリフトに乗る際には前側ビンディング本体を前方に向けて、揺動部材を元に戻して固定することができる。
【０００６】
また、上記特許文献２に記載された技術においては、バインディング（ビンディング）を回転軸によって回転自在にスノーボードに取付け、固定ピンをバインディングに設けられたピン穴を通してスノーボードに設けられた複数の穴のうちいずれかに挿入することによって、バインディングのスノーボードに対する角度を横向きもしくは前向きに固定することができるとしている。
【０００７】
【発明が解決しようとする課題】
しかしながら、上述した特許文献１に記載の技術においては、単にスノーボードの前側ビンディングを滑降状態の斜め向きから歩行・リフト乗りに適した前向きに変更できることのみを目的としておらず、上級者に対しては滑降する斜面の傾斜角度や滑降速度によってスノーボードの長手方向に対する足の向きを微妙に変化できるように、あるいはハーフパイプを滑走する場合にも斜面を滑降する場合とは足の向きを細かく変化させられるようにしている。また、初心者に対しては、自分に最も合った足の角度を見つけられるように、やはりスノーボードの長手方向に対する足の向きを細かく変化させられる構造としている。
【０００８】
この結果、上記特許文献１に記載の「スノーボード用ビンディングの角度調整構造」は非常に複雑な構造となり、部品点数も多くなることから、製造・組立に技術と時間を要し、また高価なものになってしまう。
【０００９】
一方、上記特許文献２に記載の「スノーボード」においては、構造は簡単であるが各部材の具体的な取付け方法が記載されていないため実際に製造するのは困難と思われ、また「特許請求の範囲」でも「実施例」でも「図１」においてもスノーボード使用時にはスノーボード本体にバインディング（ビンディング）を横向きに固定する、と記載されており、これでは滑走も困難と思われる。さらに、この「スノーボード」が仮に製造できたとしても、バインディングの向きを変えるためには一々専用ブーツをバインディングから外して、さらにその下の固定ピンを抜き差ししなくてはならず、手間のかかる作業が必要であった。
【００１０】
そこで、本発明は、スノーボードの前側ビンディングを滑走状態の斜め向きから歩行・リフト乗りに適した前向きに変更できることのみを目的として、必要最小限の部品数で安価にかつ容易に製造でき、かつ専用ブーツを外すことなくワンタッチでビンディングの向きを変更できるスノーボードを提供することを課題とするものである。
【００１１】
【課題を解決するための手段】
請求項１の発明にかかるスノーボードは、スノーボード本体の前後に前記スノーボード本体の長手方向に対してそれぞれ所定の角度で取付けられた２個のビンディングのうち、１個以上のビンディングがロックを外すことによって前記スノーボード本体に対して略前後方向を向くまで回動可能となり、その向きでロックされることによって回動不能に固定されるものである。この回動角度は少なくとも、スノーボード本体の長さ方向に対して０〜９０度の範囲内とすることが望ましい。
【００１２】
このように、本発明にかかるスノーボードは通常のスノーボードに対して、例えば、前側ビンディングの所定範囲（滑走可能な斜め向きから前向きまでの狭い範囲）の回動機構と、斜め向きに固定するロック機構と、前向きに固定するロック機構のみを付加したものである。したがって、部品点数も少なく構造も単純であるため、低コストで歩行が容易でリフトに乗るときもトラブルを起こさず足首を傷める心配もないスノーボードが製造できる。後側についても、後側のビンディングの所定範囲（滑走可能な斜め向きから前向きまでの狭い範囲）の回動機構と、斜め向きに固定するロック機構と、前向きに固定するロック機構のみを付加したものである。したがって、部品点数も少なく構造も単純であるため、低コストで歩行が容易でリフトに乗るときもトラブルを起こさず足首を傷める心配もないスノーボードが製造できる。
【００１３】
このようにして、スノーボードの前側ビンディングを滑走状態の斜め向きから歩行・リフト乗りに適した前向きに変更できることにより、必要最小限の部品数で安価にかつ容易に製造でき、かつ専用ブーツを外すことなくワンタッチでビンディングの向きを変更できるスノーボードとなる。
【００１４】
請求項２の発明にかかるスノーボードは、スノーボード本体の中央から後よりに前記スノーボード本体の長手方向に対して所定の角度で前記スノーボード本体に固定された後側のビンディングと、前記スノーボード本体の中央から前よりの前側のビンディングの取付け位置に設けられたベース板と、前記ベース板に回動自在に設けられた前側のビンディングと、前記ベース板と前記前側のビンディングとの一方に取付けられ、他方に係合可能な前記前側のビンディングの回動を拘束するロック機構とを具備するものであるから、通常のスノーボードに付加されるのは、ベース板とロック機構だけであるから、必要最小限の部材でしかもロック機構を解除して前側ビンディングを回動させ、ロック機構により拘束するというワンタッチの操作で、滑走可能状態と歩行・リフト乗り状態とを自在に切り替えることができ、ビンディングから両側の専用ブーツを外す必要もない。
【００１５】
したがって、必要最小限の部品数で安価にかつ容易に製造でき、かつ専用ブーツを外すことなくワンタッチでビンディングの向きを変更できるスノーボードとなる。よって、リフトに乗る際の列に並んでいるとき、隣に並んでいる人のスノーボードにぶつけたりすることがなくなる。また、リフトに乗ったときに隣に乗っている人のスノーボードにぶつけたり、交差させたり、或いは、自分の足首に回転力が加わるようなことを回避できる。そして、休憩中にも、片足のみを外すことにより、スノーボードの角度を任意に設定することができる。
【００１６】
請求項３の発明にかかるスノーボードは、請求項２の前記ベース板と前記前側のビンディングとに取付けられ、前記前側のビンディングの回動を拘束するロック機構は、前記前側のビンディングの両側に配設したものであるから、請求項２の効果に加えて、任意の角度で安定して固定状態を維持できる。
【００１７】
請求項４の発明にかかるスノーボードは、スノーボード本体の前後に前記スノーボード本体の長手方向に対してそれぞれ所定の角度で取付けられた２個のビンディングのうち、前側のビンディングがロックを外すことによって前記スノーボード本体に対して略前方向を向くまで回動可能となり、その向きでロックされることによって回動不能に固定されるものである。
【００１８】
このように、本発明にかかるスノーボードは通常のスノーボードに対して、前側ビンディングの所定範囲（滑走可能な斜め向きから前向きまでの狭い範囲）の回動機構と、斜め向きに固定するロック機構と、前向きに固定するロック機構のみを付加したものである。したがって、部品点数も少なく構造も単純であるため、低コストで歩行が容易でリフトに乗るときもトラブルを起こさず足首を傷める心配もないスノーボードが製造できる。
【００１９】
このようにして、スノーボードの前側ビンディングを滑走状態の斜め向きから歩行・リフト乗りに適した前向きに変更できることのみを目的として、必要最小限の部品数で安価にかつ容易に製造でき、かつ専用ブーツを外すことなくワンタッチでビンディングの向きを変更できるスノーボードとなる。
【００２０】
請求項５の発明にかかるスノーボードは、スノーボード本体の前後に前記スノーボード本体の長手方向に対してそれぞれ所定の角度で取付けられた２個のビンディングのうち、後側のビンディングがロックを外すことによって前記スノーボード本体に対して略前方向を向くまで回動可能となり、その向きでロックされることによって回動不能に固定されるものである。
【００２１】
このように、本発明にかかるスノーボードは通常のスノーボードに対して、後側ビンディングの所定範囲（滑走可能な斜め向きから前向きまでの狭い範囲）の回動機構と、斜め向きに固定するロック機構と、前向きに固定するロック機構のみを付加したものである。したがって、部品点数も少なく構造も単純であるため、低コストで歩行が容易でリフトに乗るときもトラブルを起こさず足首を傷める心配もないスノーボードが製造できる。
【００２２】
請求項６の発明にかかるスノーボードは、スノーボード本体の前後に前記スノーボード本体の長手方向に対してそれぞれ所定の角度で取付けられた２個のビンディングのうち、前側及び後側のビンディングがロックを外すことによって前記スノーボード本体に対して略前方向を向くまで回動可能となり、その向きでロックされることによって回動不能に固定されるものである。
【００２３】
このように、本発明にかかるスノーボードは通常のスノーボードに対して、前側及び後側ビンディングの所定範囲（滑走可能な斜め向きから前向きまでの狭い範囲）の回動機構と、斜め向きに固定するロック機構と、前向きに固定するロック機構のみを付加したものである。したがって、部品点数も少なく構造も単純であるため、低コストで歩行が容易でリフトに乗るときもトラブルを起こさず足首を傷める心配もないスノーボードが製造できる。
【００２４】
この場合には、使用者が前側または後側ビンディングの一方のみを回動させて使用することになる。
【００２５】
【発明の実施の形態】
以下、本発明の実施の形態について、図１乃至図８を参照して説明する。図１は本発明の実施の形態にかかるスノーボードの各ビンディングを通常の滑走可能状態に固定した全体構造を示す斜視図である。図２（ａ）は後側ビンディングの固定状態を示す斜視図、（ｂ）は後側ビンディングの固定部材を示す平面図である。図３は前側ビンディングの固定状態を示す斜視図である。図４は前側ビンディングの回動構造を示す分解斜視図である。図５は前側ビンディングの固定方法を示す拡大斜視図である。図６は前側ビンディングを前向きに回動して固定した状態を示すスノーボードの右側から見た斜視図である。図７は前側ビンディングを前向きに回動して固定した状態を示すスノーボードの左側から見た斜視図である。図８は本発明の実施の形態にかかるスノーボードの前側ビンディングを前向きに回動して歩行・リフト乗りに適した状態に固定した全体構造を示す斜視図である。
【００２６】
なお、実際には各ビンディングには専用ブーツを固定するための固定ベルトが踵部分と先端部分の２箇所に付いているが、図１乃至図８においては固定ベルトを外した状態として図示省略する。
【００２７】
まず、本実施の形態にかかるスノーボードの全体構成について、図１を参照して説明する。本実施の形態のスノーボード１は、木製の本体２に複数の金属製の雌ねじ５を埋設して、前後２個のビンディング３，４をそれぞれ４本の雄ねじ６で前記雌ねじ５に螺合することによって固定している。このように、スノーボード本体２に斜めにねじ止めされた前後２個のビンディング３，４に両足に履いた専用ブーツを前述した固定ベルトで固定することによって、スノーボード１で滑走することができる。
【００２８】
次に、後側ビンディング３の詳細な固定方法について、図２を参照して説明する。図２に示されるように、後側ビンディング３の底面には大きな貫通孔８が穿設されており、この貫通孔８の周囲には鋸刃状の噛み合わせ歯８ａが全周に亘って設けられている。そして、この貫通孔８に下部が嵌合して、上部が貫通孔８の周囲にせり上がってビンディング３の底面を押さえ付ける円形の固定部材７が取付けられる。
【００２９】
この固定部材７は、周囲に貫通孔８の噛み合わせ歯８ａと噛み合う噛み合わせ歯７ａが設けられた下部７ｂと、貫通孔８より一回り大きい平板リング状で４箇所の接続部７ｃにおいて下部７ｂと接続されている上部７ｄとからなり、下部７ｂの４箇所に穿設された貫通孔７ｅを貫通させて前記４本の雄ねじ６を前記雌ねじ５に螺合締め付けすることによって、上部７ｄで後側ビンディング３を押え付けて固定している。
【００３０】
ここで、図２（ａ）に示されるように、後側ビンディング３の取付け部分には、金属製の雌ねじ５が等間隔で２列４箇所に計８個埋設されている。したがって、４本の雄ねじ６をどの４個の雌ねじ５に螺合するかによって、後側ビンディング３のスノーボード本体２の長手方向における位置が３通りに変えられる。図１及び図２（ａ）は、後側ビンディング３がスノーボード本体２の最も後寄りに固定され、前側ビンディング４から最も離れた状態を示している。さらに、図２（ｂ）に示されるように、下部７ｂの４箇所に穿設された貫通孔７ｅは３つの孔がスノーボード本体２の長手方向に少しずつずらして開けられたものであり、これらの３つの孔のいずれに雄ねじ６を貫通させるかによって、後側ビンディング３の長手方向位置をさらに微調整することができる。
【００３１】
さらに、貫通孔８の噛み合わせ歯８ａは全周に亘って設けられているので、後側ビンディング３をどの方向に向けても固定部材７の周囲の噛み合わせ歯７ａと噛み合う。したがって、後側ビンディング３を好みの方向に向けてから固定部材７を貫通孔８に噛み合わせて４本の雄ねじ６で締め付けることによって、スノーボード本体２の長手方向に対する後側ビンディング３の角度を自由に調節することができる。
【００３２】
次に、前側ビンディング４の詳細な回動構造について、図３及び図４を参照して説明する。なお、図４においては、前側ビンディング４のうち踵部分を外した底板部分のみを図示している。
【００３３】
図３に示されるように、前側ビンディング４はビンディング４の底板とほぼ同じ厚さの鋼板からなる第１の円板１１の上に載っており、第１の円板１１の上で回動する。前側ビンディング４も後側ビンディング３も、固定ベルトを外した状態では左右対称であり、かつ、両者は同じ構造をしている。即ち、前側ビンディング４は後側ビンディング３と同じ部材である。
【００３４】
したがって、図４の分解斜視図に示されるように、ビンディング４の底板にも大きな貫通孔８が穿設されており、この貫通孔８の周囲には鋸刃状の噛み合わせ歯８ａが全周に亘って設けられている。この貫通孔８の中には、噛み合わせ歯８ａの先端から１８０度向かい側の噛み合わせ歯８ａの先端までを直径とし、貫通孔８の中でぎりぎり回転可能な第２の円板１４が内挿されており、この第２の円板１４もビンディング４の底板とほぼ同じ厚さの鋼板からなるものである。そして、第２の円板１４の上下には第２の円板１４とほぼ同じ大きさの薄手のスペーサ１５，１６が１枚ずつ挟み込まれている。
【００３５】
そして、スペーサ１５の上に第２の円板１４より（即ち、ビンディング４の貫通孔８より）一回り大きい第３の円板１３が載せられる。これらの第１の円板１１，スペーサ１６，第２の円板１４，スペーサ１５，そして第３の円板１３には、同じ位置に雄ねじ６が貫通できる４つの貫通孔１７がそれぞれ穿設されている。一方、図３に示されるスノーボード本体２の前側ビンディング４の取付け部分には、第１の円板１１に隠れて図示されないが、前述した後側ビンディング３の取付け部分と同様に、金属製の雌ねじが等間隔で２列４箇所に計８個埋設されている。したがって、４本の雄ねじ６をどの４個の雌ねじに螺合するかによって、前側ビンディング４のスノーボード本体２の長手方向における位置が３通りに変えられる。
【００３６】
このように、各部材に設けられた４つの貫通孔１７を貫通させて、４本の雄ねじ６をいずれかの４個の雌ねじに螺合させ締め付けることによって、第１の円板１１，スペーサ１６，第２の円板１４，スペーサ１５，そして第３の円板１３がスノーボード本体２に対して固定される。しかし、前側ビンディング４は第２の円板１４が２枚のスペーサ１５，１６で挟まれているために、第１の円板１１と第３の円板１３との間に隙間が生じて固定されず、第２の円板１４の周りを回転自在な状態となる。
【００３７】
ここで、図３に示されるように、第１の円板１１の２箇所に切り込みが入れられて折り曲げられ、スノーボード本体２に対して略垂直な２つの立設部１１ａ，１１ｂが形成されている。このため、前側ビンディング４は上から見て時計回りに回転させようとすると右側面が第１の立設部１１ａに当接して止められ、上から見て反時計回りに回転させようとすると左側面が第２の立設部１１ｂに当接して止められる。したがって、前側ビンディング４は第１の立設部１１ａから第２の立設部１１ｂまでの範囲内でのみ回動自在となる。この回動角度は、スノーボード本体の長さ方向に対して０〜９０度の範囲内のものである。
【００３８】
そして、図３は前側ビンディング４が第１の立設部１１ａに当接して、その位置において、前側ビンディング４の底板側面４ａに回動可能に取付けられた鋼板製の細い板状のロック手段１２によって回動不能にロックされた状態を表している。これによって、前側ビンディング４はスノーボード本体２に対して斜め方向を向いた状態で固定され、滑走可能な状態となる。
【００３９】
前側ビンディング４の固定状態について、図５を参照してさらに詳しく説明する。図５に示されるように、ロック手段１２には短い板状の部材１２ｂが間隔を開けて固定されており、ロック手段１２と短い板状の部材１２ｂとで第１の立設部１１ａを挟んでいるように見えるが、この短い板状の部材１２ｂは当接部材１２ａを挟んで固定するために設けられたものであり、当接部材１２ａはロック手段１２を図示反時計回りに垂直面内で回動させたときに第１の円板の表面に当接することによって、ロック手段１２を略水平の状態で止める働きをする。
【００４０】
実際にロック手段１２との間で第１の立設部１１ａを挟んでいるのは、第１の立設部１１ａに隠れて図示されない固定ベルト取付け用のボルトの先端部分である。即ち、実際には前側ビンディング４の底面右側部４ａが当る前に、この底面右側部４ａの四角孔に取り付けられた固定ベルト取付け用のボルトの先端部分が第１の立設部１１ａに当接してそれ以上回動しなくなる。そこで、底面右側部４ａと第１の立設部１１ａに生ずる間隔分だけ底面右側部４ａから突出させて、垂直面内で回動可能としたロック手段１２によって、第１の立設部１１ａを辛うじて挟めるようにして、ガタつかず強固に前側ビンディング４を回動不能に固定することができる。
【００４１】
次に、前側ビンディング４を反時計回りに回動させてロックする手順について、図６及び図７を参照して説明する。まず、図５の状態からロック手段１２を時計回りに回動させて起こし、第１の立設部１１ａから外してロックを解除する。続いて、前側ビンディング４を上から見て反時計回りに回動させて、第２の立設部１１ｂに当接させる。このとき当接するのも前側ビンディング４の底面左側部４ｂではなく、底面左側部４ｂの四角孔に取り付けられた固定ベルト取付け用のボルトの先端部分である。起こしたロック手段１２は邪魔にならないように、再び横に倒しておく。
【００４２】
そこで、底面左側部４ｂと第２の立設部１１ｂの間に生ずる間隔分だけ底面左側部４ｂから突出させて垂直面内で回動可能としたロック手段１８によって、第２の立設部１１ｂを辛うじて挟めるようにして、ガタつかず強固に前側ビンディング４を回動不能に固定することができる。このように簡単な操作によって、図６及び図７に示されるように、前側ビンディング４がスノーボード本体２の前方を向いて固定され、歩行・リフト乗りに適した状態となる。
【００４３】
より具体的な使用手順について、図８の全体図を参照して説明する。滑走者が滑降を終えた時点においては、前側ビンディング４は未だ斜め方向を向いて固定されている。即ち、第１の立設部１１ａをロック手段１２と前側ビンディング４で挟んでロックした状態にある。そこで、後側ビンディング３の図示しない２箇所の固定ベルトを外して後足（本実施の形態においては右足）に履いた専用ブーツを後側ビンディング３から外す。そして、右足を雪面に置いて体重を支えながら、ロック手段１２を垂直面内で回動させて第１の立設部１１ａから外してロックを解除する。
【００４４】
続いて、前側ビンディング４を左足の専用ブーツを固定したまま上から見て反時計回りに回動させると図示されない第２の立設部１１ｂに当接して止まるので、図示されないもう１つのロック手段１８を垂直面内で回動させて第２の立設部１１ｂをロック手段１８と前側ビンディング４で挟んでロックする。これによって、図８に示されるように、前側ビンディング４がスノーボード本体２の前方向を向いた状態で固定されるので、自由な右足で雪面を蹴ってスノーボード１を真っ直ぐ滑らせながら歩行するのも非常に容易になる。また、リフトに乗ったときにも左足を真っ直ぐ向ければスノーボード１も真っ直ぐ向くので、トラブルを起こすこともなく、足首を捻挫する心配もない。
【００４５】
このようにして、本実施の形態のスノーボード１は、スノーボード１の前側ビンディング４を滑走状態の斜め向きから歩行・リフト乗りに適した前向きに変更できることのみを目的として、必要最小限の部品数で安価にかつ容易に製造でき、かつ専用ブーツを外すことなくワンタッチでビンディング４の向きを変更することができる。
【００４６】
本実施の形態のスノーボード１においては、第２の円板１４の上下にスペーサ１５，１６を挟み込むことによって、前側ビンディング４と第１の円板１１及び第３の円板との間に隙間を作り、第２の円板１４の周囲を前側ビンディング４が回動自在としたが、スペーサ１５，１６を用いる代わりに、第２の円板１４のみをやや厚くすることによって第２の円板１４の周囲を前側ビンディング４が回動自在とすることもできる。これによって、さらに部品点数が減って組み立てがより容易になる。
【００４７】
スノーボード１のその他の部分の構成、形状、数量、材質、大きさ、接続関係等についても、本実施の形態に限定されるものではない。
【００４８】
上記実施の形態では、２個のビンディング３，４のうち、前側のビンディング４がロックを外すことによってスノーボード本体２に対して略前方向を向くまで回動可能となり、その向きでロックされることによって回動不能に固定されるものである。しかし、本発明を実施する場合には、後側のビンディング３がロックを外すことによってスノーボード本体２に対して略前方向を向くまで回動可能となり、その向きでロックされることによって回動不能に固定することもできる。好みにより、リフトの条件により、利き足或いは足の健康状態等により後側のビンディングのロックを外す機能とすることができる。
【００４９】
更に、上記実施の形態では、２個のビンディング３，４のうち、前側のビンディング４がロックを外すことによってスノーボード本体２に対して略前方向を向くまで回動可能となり、その向きでロックされることによって回動不能に固定されるものである。しかし、本発明を実施する場合には、前側及び後側の両者をビンディング３，４がロックを外すことによってスノーボード本体２に対して略前後方向を向くまで回動可能となり、その向きでロックされることによって回動不能に固定されるものである。使用中の好みにより、或いはリフトの条件により、利き足或いは足の健康状態等により前側のビンディング４または後側のビンディング３のロックを外す機能として、他方の足を休ませることができる。
【００５０】
本実施の形態のスノーボード１は、スノーボード本体２と、スノーボード本体２の中央から後よりにスノーボード本体２の長手方向に対して所定の角度で複数本の雄ねじ６でスノーボード本体２に埋設された複数個の雌ねじ５にねじ止め固定された後側のビンディング３と、スノーボード本体２の中央から前よりの前側のビンディング４の取付け位置に埋設された図示しない複数個の雌ねじ５と、取付け位置に複数個の雌ねじ６と位置が一致するように置かれた複数個の貫通孔１７が設けられた金属板である第１の円板１１と、複数個の雌ねじ５を全て囲む貫通孔８を中央に穿設された前側のビンディング４と、前側のビンディング４の両外側に前側のビンディング４と間隔を開けて垂直面内に回動可能に取付けられた金属製の細い板状の１対のロック手段１２，１８と、前記貫通孔１７を貫通可能でほぼ同じ大きさでやや厚く、複数個の雌ねじ５と位置が一致するように置かれた複数個の貫通孔１７が設けられた金属製の第２の円板１４と、前記貫通孔１７よりも大きく、複数個の雌ねじ５と位置が一致するように置かれた複数個の貫通孔１７が設けられた金属製の第３の円板１３と、第３の円板１３の貫通孔１７から第２の円板１４の貫通孔１７と第１の円板１１の貫通孔１７とを貫通してスノーボード本体２の雌ねじ５に螺合して締め付けることによって一体に固定する複数個の雄ねじ６とを具備している。
【００５１】
第１の円板１１の２箇所が切り込まれてそれぞれスノーボード本体２に略垂直に立設され、第１の立設部１１ａは第２の円板１４の周囲を回動する前側のビンディング４がスノーボード本体２の長手方向に対して斜め方向を向いたときに当接して、１対のロック手段１２，１８のうち一方のロック手段１２を前記第１の円板１１に当接するまで回動させて前側のビンディング４との間で第１の立設部１１ａを挟み込むことによって前側のビンディング４を斜め方向に固定し、第２の立設部１１ｂは第２の円板１４の周囲を回動する前側のビンディング４がスノーボード本体２に対して前方向を向いたときに当接して、１対のロック手段１２，１８のうちもう一方のロック手段１８を第１の円板１１に当接するまで回動させて前側のビンディング４との間で第２の立設部１１ｂを挟み込むことによって前側のビンディング４を前方向に固定するものである。
【００５２】
このように、スノーボード１の構成要素のうち、通常のスノーボード１に付加されるのは、金属製の第１の円板１１と、前側ビンディング４に穿設される貫通孔８と（尤も通常のビンディングにも殆ど大きな貫通孔が設けられているから、それを利用すれば良い。）、貫通孔８とほぼ同じ大きさでやや厚い金属製の第２の円板１４と、貫通孔８より大きい金属製の第３の円板１３と、金属製の細い板状の１対のロック手段１２，１８だけである。
【００５３】
そして、第１の円板１１の２箇所が立設されて第１の円板１１の上で回転する前側ビンディング４のストッパーとしての役割を果たし、第１の立設部１１ａは滑走可能状態の斜め向きに前側ビンディング４を止め、一方のロック手段１２で第１の立設部１１ａを挟むことによって、前側ビンディング４を滑走可能状態に固定する。第２の立設部１１ｂは歩行・リフト乗り用の前向きに前側ビンディング４を止め、他方のロック手段１８で第２の立設部１１ｂを挟むことによって、前側ビンディング４を前向きに固定する。
【００５４】
故に、必要最小限の部材でしかも一方のロック手段１２を上げて前側ビンディング４を回動させ他方のロック手段１８を下げるというワンタッチの操作で、滑走可能状態と歩行・リフト乗り状態とを自在に切り替えることができ、一々前側ビンディング４から専用ブーツを外す必要もない。
【００５５】
このようにして、スノーボード１の前側ビンディング４を滑走状態の斜め向きから歩行・リフト乗りに適した前向きに変更できることのみで、必要最小限の部品数で安価にかつ容易に製造でき、かつ専用ブーツを外すことなくワンタッチでビンディング４の向きを変更できるスノーボード１となる。
【００５６】
ここで、第２の円板１４を前側のビンディング４よりやや厚くする代わりにほぼ同じ厚さとして、第２の円板１４と第１の円板１１及び第３の円板１３の間にそれぞれ複数個の雄ねじ６が貫通する貫通孔１７を設けたスペーサ１５，１６を挟み込んだものである。
【００５７】
これによって、第２の円板１４のみを厚さの異なる鋼板から製造する必要がなくなり、全ての鋼板製部材を前側ビンディング４の底板と同じ厚さの鋼板等の金属板から製造することができて、一層低コスト化できる。そして、第２の円板１４と第１の円板１１及び第３の円板１３の間にはスペーサ１５，１６が挟まれているため、第１，第２，第３の円板１１，１４，１３が複数個の雄ねじ６によってスノーボード本体２に埋設された雌ねじに強固に締め付け固定されても、前側ビンディング４の底板と第１，第３の円板１１，１３の間には隙間ができ、前側ビンディング４は２箇所のストッパーの間で回動自在となる。
【００５８】
ここで、スペーサ１５，１６及び第２，第３の円板１４，１３及び複数個の雄ねじ６は、本実施の形態の前側ビンディング４の離脱を不可能とし、回動のみを可能とする回動軸手段を形成している。
【００５９】
したがって、スノーボード１の前側ビンディング４を滑走状態の斜め向きから歩行・リフト乗りに適した前向きに変更できることのみを目的として、必要最小限の部品数で安価にかつ容易に製造でき、かつ、専用ブーツを外すことなくワンタッチでビンディングの向きを変更できるスノーボード１となる。
【００６０】
ところで、上記実施の形態の前記スノーボード本体２の中央から前よりの前側のビンディング４の取付け位置に設けられた第１の円板１１は、平滑面及び第１の立設部１１ａと第２の立設部１１ｂとを形成するものであればよいことから、略円板に限定されるものではなく、金属板のベース板であればよい。勿論、所定の強度を得る合成樹脂板として成型することもできる。したがって、本発明を実施する場合には、スノーボード本体１の中央から前よりの前側のビンディング４の取付け位置に設けられたベース板として実施できる。
【００６１】
また、上記実施の形態の第１の立設部１１ａとロック手段１２、第２の立設部１１ｂとロック手段１８とは、本発明の実施の形態のロック機構を構成する。このロック機構は本実施の形態に限定されるものではなく、堅固に固定状態を維持でき、必要に応じて容易に解除できる機構であればよい。また、ロック機構は前側のビンディング４に取付けられているが、本発明を実施する場合には、第１の円板１１側に配設することもできる。何れにせよ、本発明を実施する場合のロック機構は、第１の円板１１からなるベース板と前側のビンディング４との一方に取付けられ、他方に係合可能な前側のビンディング４の回動を拘束するものであればよい。
【００６２】
そして、第１の円板１１からなるベース板に回動自在に設けられた前側のビンディング４は、市販品を取付け可能としたものであるが、専用のものを使用することもできる。この場合には、スノーボード本体２中央から前よりの前側のビンディング４の取付け位置に設けられたベース板及び該ベース板に回動自在に設けられた前側のビンディング４と、ベース板と前側のビンディング４との一方に取付けられ、他方に係合可能な前側のビンディング４の回動を拘束するロック機構とを具備する構成とすることができる。
【００６３】
更に、本発明の実施の形態では、前側のビンディング４について回動自在な構成を採用したが、後側のビンディング３についても、同様の構成とすることができる。
【００６４】
【発明の効果】
以上説明したように、請求項１の発明にかかるスノーボードは、スノーボード本体の前後に前記スノーボード本体の長手方向に対してそれぞれ所定の角度で取付けられた２個のビンディングのうち、１個以上のビンディングがロックを外すことによって前記スノーボード本体に対して略前後方向を向くまで回動可能となり、その向きでロックされることによって回動不能に固定されるものである。
【００６５】
このように、本発明にかかるスノーボードは通常のスノーボードに対して、前側ビンディングの所定範囲（滑走可能な斜め向きから前向きまでの狭い範囲）の回動機構と、斜め向きに固定するロック機構と、前向きに固定するロック機構のみを付加したものである。したがって、部品点数も少なく構造も単純であるため、低コストで歩行が容易でリフトに乗るときもトラブルを起こさず足首を傷める心配もないスノーボードが製造できる。
【００６６】
したがって、必要最小限の部品数で安価にかつ容易に製造でき、かつ専用ブーツを外すことなくワンタッチでビンディングの向きを変更できるスノーボードとなる。リフトに乗る際の列に並んでいるとき、隣に並んでいる人のスノーボードにぶつけたりすることがなくなる。また、リフトに乗ったときに隣に乗っている人のスノーボードにぶつけたり、交差させたり、或いは、自分の足首に回転力が加わるようなことを回避できる。そして、休憩中にも、片足のみを外すことにより、スノーボードの角度を任意に設定することができる。
【００６７】
請求項２の発明にかかるスノーボードは、スノーボード本体と、前記スノーボード本体の中央から後よりに前記スノーボード本体の長手方向に対して所定の角度で前記スノーボード本体に固定された後側のビンディングと、前記スノーボード本体の中央から前よりの前側のビンディングの取付け位置に設けられたベース板と、前記ベース板に回動自在に設けられた前側のビンディングと、前記ベース板と前記前側のビンディングとに取付けられ、前記前側のビンディングの回動を拘束するロック機構とを具備するものである。
【００６８】
このように、本発明のスノーボードの構成要素のうち、通常のスノーボードに付加されるのは、ベース板とロック機構だけであるから、必要最小限の部材でしかもロック機構を解除して前側ビンディングを回動させ、ロック機構により拘束するというワンタッチの操作で、滑走可能状態と歩行・リフト乗り状態とを自在に切り替えることができ、ビンディングから両側の専用ブーツを外す必要もない。
【００６９】
したがって、必要最小限の部品数で安価にかつ容易に製造でき、かつ、専用ブーツを外すことなくワンタッチでビンディングの向きを変更できるスノーボードとなる。よって、リフトに乗る際の列に並んでいるとき、隣に並んでいる人のスノーボードにぶつけたりすることがなくなる。また、リフトに乗ったときに隣に乗っている人のスノーボードにぶつけたり、交差させたり、或いは、自分の足首に回転力が加わるようなことを回避できる。そして、休憩中にも、片足のみを外すことにより、スノーボードの角度を任意に設定することができる。
【００７０】
請求項３の発明にかかるスノーボードは、請求項２の前記ベース板と前記前側のビンディングとに取付けられ、前記前側のビンディングの回動を拘束するロック機構は、前記前側のビンディングの両側に配設したものであるから、請求項２の効果に加えて、任意の角度で安定して固定状態を維持できる。
【００７１】
請求項４の発明にかかるスノーボードは、請求項１の２個のビンディングのうち、前側のビンディングがロックを外すことによって前記スノーボード本体に対して略前方向を向くまで回動可能となり、その向きでロックされることによって回動不能に固定されるものである。このように、本発明にかかるスノーボードは通常のスノーボードに対して、前側ビンディングの所定範囲（滑走可能な斜め向きから前向きまでの狭い範囲）の回動機構と、斜め向きに固定するロック機構と、前向きに固定するロック機構のみを付加したものである。したがって、部品点数も少なく構造も単純であるため、低コストで歩行が容易でリフトに乗るときもトラブルを起こさず足首を傷める心配もないスノーボードが製造できる。
【００７２】
このようにして、請求項１の効果に加えて、スノーボードの前側ビンディングを滑走状態の斜め向きから歩行・リフト乗りに適した前向きに変更できることのみを目的として、必要最小限の部品数で安価にかつ容易に製造でき、かつ専用ブーツを外すことなくワンタッチでビンディングの向きを変更できるスノーボードとなる。
【００７３】
請求項５の発明にかかるスノーボードは、請求項１の２個のビンディングのうち、後側のビンディングがロックを外すことによって前記スノーボード本体に対して略前方向を向くまで回動可能となり、その向きでロックされることによって回動不能に固定されるものである。このように、本発明にかかるスノーボードは通常のスノーボードに対して、後側ビンディングの所定範囲（滑走可能な斜め向きから前向きまでの狭い範囲）の回動機構と、斜め向きに固定するロック機構と、前向きに固定するロック機構のみを付加したものである。したがって、請求項１の効果に加えて、部品点数も少なく構造も単純であるため、低コストで歩行が容易でリフトに乗るときもトラブルを起こさず足首を傷める心配もないスノーボードが製造できる。
【００７４】
請求項６の発明にかかるスノーボードは、請求項１の２個のビンディングのうち、前側及び後側のビンディングがロックを外すことによって前記スノーボード本体に対して略前方向を向くまで回動可能となり、その向きでロックされることによって回動不能に固定されるものである。このように、本発明にかかるスノーボードは通常のスノーボードに対して、前側及び後側ビンディングの所定範囲（滑走可能な斜め向きから前向きまでの狭い範囲）の回動機構と、斜め向きに固定するロック機構と、前向きに固定するロック機構のみを付加したものである。したがって、請求項１の効果に加えて、部品点数も少なく構造も単純であるため、低コストで歩行が容易でリフトに乗るときもトラブルを起こさず足首を傷める心配もないスノーボードが製造できる。この場合には、使用者が前側または後側ビンディングの一方のみを回動させて使用することになる。
【図面の簡単な説明】
【図１】図１は本発明の実施の形態にかかるスノーボードの各ビンディングを通常の滑走可能状態に固定した全体構造を示す斜視図である。
【図２】図２（ａ）は後側ビンディングの固定状態を示す斜視図、（ｂ）は後側ビンディングの固定部材を示す平面図である。
【図３】図３は前側ビンディングの固定状態を示す斜視図である。
【図４】図４は前側ビンディングの回動構造を示す分解斜視図である。
【図５】図５は前側ビンディングの固定方法を示す拡大斜視図である。
【図６】図６は前側ビンディングを前向きに回動して固定した状態を示すスノーボードの右側から見た斜視図である。
【図７】図７は前側ビンディングを前向きに回動して固定した状態を示すスノーボードの左側から見た斜視図である。
【図８】図８は本発明の実施の形態にかかるスノーボードの前側ビンディングを前向きに回動して歩行・リフト乗りに適した状態に固定した全体構造を示す斜視図である。
【符号の説明】
１  スノーボード
２  スノーボード本体
３  後側のビンディング
４  前側のビンディング
５  雌ねじ
６  雄ねじ
８  貫通穴
１１  第１の円板
１１ａ  第１の立設部
１１ｂ  第２の立設部
１２  ロック手段
１３  第３の円板
１４  第２の円板
１５，１６  スペーサ
１７  貫通孔
１８  ロック手段
【図１】
2004160095.tif 000003
【図２】
2004160095.tif 000004
【図３】
2004160095.tif 000005
【図４】
2004160095.tif 000006
【図５】
2004160095.tif 000007
【図６】
2004160095.tif 000008
【図７】
2004160095.tif 000009
【図８】
2004160095.tif 000010